(57)【要約】【課題】耐衝撃性に優れた文字板を備える時計を提供すること。【解決手段】時計１は、ケース３と、ケース３に回転自在に支持された竜頭６と、ケース３内に収容されたムーブメント４に回転自在に支持された巻真７と、竜頭６と巻真７とを連結させて当該竜頭６の回転を巻真７に伝達する軸状の弾性部材８とを備える。このような時計１では、竜頭６と巻真７とを連結させて竜頭６の回転を巻真７に伝達するコイルばね８を備えるので、衝撃によってケース３とムーブメント４とが位置ずれ、ひいては竜頭６と巻真７の位置ずれを吸収できる。従って、衝撃によって巻真７に剪断方向の応力が生じることはなく、巻真７の耐衝撃性を格段に向上させることができて、巻真７の折れを確実に防ぐことができる。【選択図】図２
2010256152.tif 000002
【特許請求の範囲】
【請求項１】
ケースと、
前記ケースに回転自在に支持された竜頭と、
前記ケース内に収容されたムーブメントに回転自在に支持された巻真と、
前記竜頭と前記巻真とを連結させて当該竜頭の回転を前記巻真に伝達する軸状の弾性部
材とを備えている
ことを特徴とする時計。
【請求項２】
請求項１に記載の時計において、
前記弾性部材の軸方向の途中には、径方向の外方に延出した延出部が設けられ、
前記ケースの内部には、前記竜頭の引き操作および戻し操作により前記延出部が乗り越
えて移動する接触片が設けられている
ことを特徴とする時計。
【請求項３】
請求項１または請求項２に記載の時計において、
前記弾性部材はコイルばねである
ことを特徴とする時計。
【発明の詳細な説明】
【技術分野】
【０００１】
本発明は、時計に係り、特に巻真を衝撃から保護するための耐衝撃構造に関する。
【背景技術】
【０００２】
従来、時計内部のムーブメントを交換する際に、竜頭と交換後のムーブメントとの間に
ずれが生じても、容易に対処できる構成が知られている（例えば、特許文献１参照）。
このような時計では、ケースのうち少なくとも竜頭の軸の通過孔が含まれる部分をケー
スの胴部に対して着脱可能な外胴部として構成することにより、ムーブメントの交換に起
因してずれたとしても、外胴部を取り換えることによってずれを吸収することができる。
【先行技術文献】
【特許文献】
【０００３】
【特許文献１】特開２００６−１１２８３２号公報
【発明の概要】
【発明が解決しようとする課題】
【０００４】
ところで、特許文献１に記載のように、外胴部を着脱可能とすることで、竜頭とムーブ
メントのずれを補正する従来の構成では、部品交換時のみ補正を行うため、時計の使用中
のずれを補正できないという問題がある。
この他に、巻真パイプと竜頭との間にコイルばねを配置した時計も知られているが、こ
のようなコイルばねは、竜頭が押下された場合に竜頭を押下前の位置に向けて付勢させ、
押下されなくなると自動的に押下前の位置に復帰させる自動復帰機構を実現するためのも
のであり、竜頭に加わった衝撃が巻真に伝達されるのを防止する効果はない。
【０００５】
本発明は、上記のような問題に鑑みて、巻真の耐衝撃性を格段に向上させることができ
る時計を提供することを目的とする。
【課題を解決するための手段】
【０００６】
本発明の時計は、ケースと、前記ケースに回転自在に支持された竜頭と、前記ケース内
に収容されたムーブメントに回転自在に支持された巻真と、前記竜頭と前記巻真とを連結
させて当該竜頭の回転を前記巻真に伝達する軸状の弾性部材とを備えていることを特徴と
する。
【０００７】
本発明によれば、竜頭と巻真とを連結させて当該竜頭の回転を前記巻真に伝達する軸状
の弾性部材を備えるので、通常使用時には、弾性部材によって竜頭と巻真の位置ずれ、ひ
いてはケースとムーブメントの位置ずれを吸収でき、衝撃によってそれらが位置ずれした
場合でも、巻真に剪断方向の応力が生じることはなく、巻真の耐衝撃性を格段に向上させ
ることができる。
また、竜頭の引き操作を行った場合でも、竜頭と巻真とが弾性部材にて連結されている
ため、弾性部材によって竜頭の回転を巻真に伝達させることができ、一般的な時計と同様
な操作にて時刻修正やカレンダー修正を行える。
【０００８】
また、本発明の時計では、前記弾性部材の軸方向の途中には、径方向の外方に延出した
延出部が設けられ、前記ケースの内部には、前記竜頭の引き操作および戻し操作により前
記延出部が乗り越えて移動する接触片が設けられていることが好ましい。
この発明によれば、延出部が接触片を乗り越えなければ移動することができず、竜頭が
ロックされた状態となるため、ロック機能を容易に設けることができる。
【０００９】
また、本発明の時計では、前記弾性部材はコイルばねであることが好ましい。
この発明によれば、竜頭の引き操作を行った場合でも、コイルばねの撓みにより変位が
吸収されるので、巻真に剪断力がかかることを防止できる。
【発明の効果】
【００１０】
本発明によれば、竜頭と巻真とを連結させる弾性部材を備えることにより、弾性部材が
位置ずれを吸収し、巻真の耐衝撃性を向上させることができる。
【図面の簡単な説明】
【００１１】
【図１】本発明の第一実施形態に係る時計の正面図である。
【図２】本発明の第一実施形態に係る時計の要部を示す断面図である。
【図３】本発明の第二実施形態に係る時計の要部を示す断面図である。
【図４】本発明の変形例における時計の要部を示す断面図である。
【発明を実施するための形態】
【００１２】
［第一実施形態］
以下、本発明に係る第一実施形態について、図面に基づいて説明する。
図１は、本実施形態に係る時計１の正面図である。図２は、本実施形態に係る時計１の
要部を示す断面図である。
図１および図２において、時計１は、例えば複数の指針２を有した機械時計、電子時計
、電子制御式機械時計などであり、ケース３と、ケース３内に配置されて指針２が取り付
けられるムーブメント４と、ムーブメント４の図２中の上方側に取り付けられる文字板５
とを備え、文字板５がケース３を構成する見切り３１の下面に当接されている。
【００１３】
ケース３の上方側の開口部分は縁部材３２に取り付けられた風防ガラス３３で塞がれ、
下方側の開口部分は裏蓋３４で塞がれている。ケース３の側部外方には、竜頭６が回転自
在に支持されている。ムーブメント４には、一端が回転自在に支持された巻真７が設けら
れている。巻真７の軸方向は、竜頭６に一体に設けられた竜頭軸６１の軸方向と同じであ
る。竜頭軸６１と巻真７との間には、弾性部材であるコイルばね８が設けられており、コ
イルばね８を介して竜頭６と巻真７とは連結される。この竜頭６を操作することで時刻修
正等が行われる。
【００１４】
ケース３には内外を貫通する貫通孔３５が設けられている。貫通孔３５には巻真パイプ
３６が圧入され、巻真パイプ３６内に竜頭６の竜頭軸６１が挿入されている。竜頭軸６１
と巻真パイプ３６との間には、止水機能を有した樹脂リング９が巻真パイプ３６側に係止
されて取り付けられている。この樹脂リング９により、竜頭６と巻真パイプ３６との軸中
心を一致させることも可能である。
【００１５】
このような竜頭軸６１の先端側（ムーブメント４側）には、竜頭側挿入穴６２が設けら
れている。この竜頭側挿入穴６２にはコイルばね８の外方側の端部が挿入され、圧入や接
着等の適宜な固定手段にて固定されている。
巻真７の先端側（竜頭６側）には、巻真側挿入穴７１が設けられており、この巻真側挿
入穴７１にはコイルばね８の内方側の端部が挿入され、やはり適宜な固定手段にて固定さ
れている。
【００１６】
コイルばね８は、竜頭６が引き出されていない（０段）の時には、付勢力が生じていな
い状態で収容されている。コイルばね８のばね定数は、竜頭６が引き出された（１段およ
び２段）り戻されたりした場合でも、コイルばね８が伸縮せず、また、竜頭６を回転させ
てもねじれない程度に高く設定されている。一方、コイルばね８のばね定数は、外部から
の衝撃に対して径方向には自由に撓むように設定されている。
【００１７】
以下には、竜頭６および巻真７と、竜頭６と巻真７とを連結させるコイルばね８の組付
手順を説明する。
まず、巻真７の巻真側挿入穴７１にコイルばね８の内方側の端部を連結させ、竜頭軸６
１の竜頭側挿入穴６２にコイルばね８の外方側の端部を連結させて取り付ける。
さらに、ケース３の貫通孔３５には巻真パイプ３６を圧入しておく。そして、巻真７お
よびコイルばね８が取り付けられた竜頭６を巻真パイプ３６内に挿入し、最後に、巻真７
の先端をムーブメント４に挿入し、図示しないおしどりにて係止させる。
【００１８】
コイルばね８は、竜頭軸６１および巻真７に連結固定されているので、コイルばね８が
竜頭軸６１および巻真７から外れて動くことはなく、竜頭６の引き操作および戻し操作に
合わせて動く。つまり、竜頭６を引いたときには、コイルばね８は軸方向に伸びることな
く移動し、竜頭６を回転させることでコイルばね８は竜頭６の動きに強制されて回転方向
に回る。そして、竜頭６を戻したときには、コイルばね８は軸方向に縮むことなく移動し
、巻真７も元の位置に戻る。
【００１９】
以上の本実施形態によれば、以下の効果がある。
すなわち、本実施形態の時計１では、竜頭６と巻真７とを連結させて竜頭６の回転を巻
真７に伝達するコイルばね８を備えるので、衝撃によってケース３とムーブメント４とが
位置ずれしても、その位置ずれをコイルばね８が撓むことで吸収でき、ひいては竜頭６と
巻真７の位置ずれを吸収できる。従って、衝撃によって巻真７に剪断方向の応力が生じる
ことはなく、巻真７の耐衝撃性を格段に向上させることができて、巻真７の折れを確実に
防ぐことができる。
【００２０】
コイルばね８は、竜頭６を引いたときや戻したときに容易に伸縮しないようばね定数が
設定されているので、巻真７をムーブメント４から引き出したり戻したりする操作を一般
的な時計と同様に行える。そして、コイルばね８のばね定数は、竜頭６を回転させてもね
じれることなく、竜頭６と一体で回転する硬さに設定されているため、竜頭６の回転を巻
真７に確実に伝達でき、時刻修正やカレンダー修正を支障なく行え、使い勝手を良好にで
きる。
【００２１】
［第二実施形態］
次に本発明に係る第二実施形態について説明する。なお、以下の各実施形態において、
前記第一実施形態の時計１と同一の構成については同符号を付し、その説明を簡略もしく
は省略する。
【００２２】
図３は、本実施形態に係る時計１の要部を示す拡大断面図である。
図３に示す時計１のコイルばね８は、一部のコイル径が大きくなるように径違いに形成
されており、軸方向の一部が径方向の外方に延出する延出部８Ａとなっている。また、巻
真パイプ３６の先端側（ムーブメント４側）の内側には、リング状の接触片１０が設けら
れている。その他の構成は、前記第一実施形態と同じである。
【００２３】
本実施形態の時計１においても、前記第一実施形態と同様の作用効果を奏することがで
きる。
さらに、本実施形態では、竜頭６の段引き操作を行ったときに、接触片１０を乗り越え
てコイルばね８の延出部８Ａが移動するので、不用意に竜頭６が引き出されないようにロ
ックできる。また、例えば、延出部８Ａが接触片１０を乗り越える際の感触を出すことで
、クリック感が生じるため、利用者が段引き操作していることをわかり易くでき、操作性
を良好にできる。
【００２４】
［変形例］
なお、本発明は前述の各実施形態に限定されるものではなく、本発明の目的を達成でき
る範囲での変形、改良などは本発明に含まれるものである。
例えば、前記各実施形態では、竜頭６と巻真７とを連結させる弾性部材としてコイルば
ね８を用いたが、コイルばね８に限らない。軸方向の衝撃を和らげる弾性部材であれば、
ゴム部材等であってもよい。
【００２５】
また、前記第二実施形態では、コイルばね８の一部のコイル径が大きくなるように径違
いに形成することで、延出部８Ａを設けたが、コイル径が同じコイルばね８にリング状の
部材を連結させて延出部８Ａを形成してもよい。
このとき、前記第二実施形態のように、接触片１０にて巻真パイプ３６の内周縁を全周
にわたって連続して覆ってもよいが、周方向に沿って断続的となるように、複数箇所を間
隔を空けて覆うような構成としてもよい。また、接触片１０を上側と下側の２箇所のみに
設けるような構成としてもよい。つまり、接触片１０が、竜頭６の段引き操作により延出
部８Ａが乗り越えて移動するような構成であれば本発明に含まれるのであり、全周にわた
って連続して覆うか否かは問わない。
【００２６】
また、接触片１０が、ゴム部材のような弾性を有する部材で構成されている場合には、
接触片１０を乗り越えてコイルばね８の延出部８Ａが移動することによる接触片１０の破
損を防止できる。
【００２７】
また、図４に示すように、コイルばね８の長さをより短く設定して、常に竜頭６を内方
に付勢させた状態で収容してもよい。この場合、竜頭６はケース３の内方側に引き付けら
れるので、竜頭６とケース３との間の隙間をなくすことができ、意匠性を良好にできる。
これに伴い、隙間をなくすために行っていた巻真７の丈詰め等の微調整が不要となり、製
造過程における工数を減らすことができるうえ、不用意に竜頭６が外方に引き出されてし
まうことを防止できる。ただし、短く設定したコイルばね８を用いる場合には、組付け時
において巻真７の先端をムーブメント４に挿入させた際に巻真７の先端側の溝等をおしど
りにて確実に届かせて係止させる構成が必要である。
【００２８】
さらに、前記各実施形態では、コイルばね８の組付手順を、巻真７の巻真側挿入穴７１
にコイルばね８の内方側の端部を連結させてから、竜頭軸６１の竜頭側挿入穴６２にコイ
ルばね８の外方側の端部を連結させて取り付けるとしたが、先に竜頭軸６１にコイルばね
８を連結させてから、巻真７に連結させてもよい。
【符号の説明】
【００２９】
１…時計、２…指針、３…ケース、４…ムーブメント、５…文字板、６…竜頭、７…巻
真、８…コイルばね、９…樹脂リング、３６…巻真パイプ、６１…竜頭軸。
【図１】
2010256152.tif 000003
【図２】
2010256152.tif 000004
【図３】
2010256152.tif 000005
【図４】
2010256152.tif 000006